(57)【要約】【課題】遠隔地の利用者と会議できるとともに、遠隔地において表示された文書の臨場感ある操作性を実現することができる遠隔会議プログラム、及び遠隔会議装置を提供する。【解決手段】遠隔会議プログラム１２０ａは、相手の遠隔会議装置から指示入力情報を受信すると、指示入力情報に応じた画像処理、及び文書の表示を行って第１の表示部に表示する表示ステップと、前記表示ステップにおいて表示された表示内容を撮影して、撮影に基づく画像情報を前記相手の遠隔会議装置の第２の表示部に表示するよう送信する送信ステップとをコンピュータに実行させる。【選択図】図１
2010050506.tif 000002
【特許請求の範囲】
【請求項１】
相手の遠隔会議装置から指示入力情報を受信すると、指示入力情報に応じた画像処理、及び文書の表示を行って第１の表示部に表示する表示ステップと、
前記表示ステップにおいて表示された表示内容を撮影して、撮影に基づく画像情報を前記相手の遠隔会議装置の第２の表示部に表示するよう送信する送信ステップとをコンピュータに実行させる遠隔会議プログラム。
【請求項２】
前記表示ステップは、前記文書の表示サイズを変更する請求項１に記載の遠隔会議プログラム。
【請求項３】
前記送信ステップは、前記画像情報とともに、前記文書の文書識別子を送信する請求項１に記載の遠隔会議プログラム。
【請求項４】
文書を表示する第１の表示部と、
相手の遠隔会議装置が設置された遠隔地の模様を表示する第２の表示部と、
本体設置場所の模様を撮影するカメラと、
前記相手の遠隔会議装置から指示入力情報を受信すると、指示入力情報に応じた画像処理、及び文書の表示を行って第１の表示部に表示させ、前記第１の表示部に表示された表示内容を前記カメラで撮影して、撮影に基づく画像情報を前記相手の遠隔会議装置の第２の表示部に表示するよう送信する制御部とを有する遠隔会議装置。
【請求項５】
前記制御部は、前記文書の表示サイズを変更する請求項４に記載の遠隔会議装置。
【請求項６】
前記制御部は、前記画像情報とともに、前記文書の文書識別子を送信する請求項４に記載の遠隔会議装置。
【請求項７】
前記制御部は、引き寄せ操作が入力されると、前記相手の遠隔会議装置から前記文書識別子を取得し、前記文書識別子に基づいて文書を外部から取得し、前記取得した文書を前記第１の表示部に表示する請求項４に記載の遠隔会議装置。
【発明の詳細な説明】
【技術分野】
【０００１】
本発明は、遠隔会議プログラム、及び遠隔会議装置に関する。
【背景技術】
【０００２】
遠隔地の利用者同士が同じ部屋にいるように感じることができる高臨場感を達成した遠隔会議装置が知られている（例えば、特許文献１参照）。
【０００３】
この特許文献１の遠隔会議装置は、多角形上に折り曲げられた画面と、画面が内接する円の中心点と画面の両端とを結ぶ直線で形成される扇形状の内部に設置される会議机と、画面の近傍に設置されて撮影方向が会議机の接線方向に設定されたカメラとを有し、遠隔地のそれぞれの地点ごとに遠隔会議装置を設置してネットワークで接続することで、それぞれの地点の遠隔会議装置において他の地点の映像が映し出されて、あたかも同一の会議机で会議をしているような高臨場感を達成することができる。
【特許文献１】特開平１０−２８５５６７号公報
【発明の開示】
【発明が解決しようとする課題】
【０００４】
本発明の目的は、遠隔地の利用者と会議できるとともに、遠隔地において表示された文書の臨場感ある操作性を実現することができる遠隔会議プログラム、及び遠隔会議装置を提供することにある。
【課題を解決するための手段】
【０００５】
本発明の一態様は、上記目的を達成するため、以下の遠隔会議プログラム、及び遠隔会議装置を提供する。
【０００６】
［１］相手の遠隔会議装置から指示入力情報を受信すると、指示入力情報に応じた画像処理、及び文書の表示を行って第１の表示部に表示する表示ステップと、前記表示ステップにおいて表示された表示内容を撮影して、撮影に基づく画像情報を前記相手の遠隔会議装置の第２の表示部に表示するよう送信する送信ステップとをコンピュータに実行させる遠隔会議プログラム。
【０００７】
［２］前記表示ステップは、前記文書の表示サイズを変更する前記［１］に記載の遠隔会議プログラム。
【０００８】
［３］前記送信ステップは、前記画像情報とともに、前記文書の文書識別子を送信する前記［１］に記載の遠隔会議プログラム。
【０００９】
［４］文書を表示する第１の表示部と、相手の遠隔会議装置が設置された遠隔地の模様を表示する第２の表示部と、本体設置場所の模様を撮影するカメラと、前記相手の遠隔会議装置から指示入力情報を受信すると、指示入力情報に応じた画像処理、及び文書の表示を行って第１の表示部に表示させ、前記第１の表示部に表示された表示内容を前記カメラで撮影して、撮影に基づく画像情報を前記相手の遠隔会議装置の第２の表示部に表示するよう送信する制御部とを有する遠隔会議装置。
【００１０】
［５］前記制御部は、前記文書の表示サイズを変更する前記［４］に記載の遠隔会議装置。
【００１１】
［６］前記制御部は、前記画像情報とともに、前記文書の文書識別子を送信する前記［４］に記載の遠隔会議装置。
【００１２】
［７］前記制御部は、引き寄せ操作が入力されると、前記相手の遠隔会議装置から前記文書識別子を取得し、前記文書識別子に基づいて文書を外部から取得し、前記取得した文書を前記第１の表示部に表示する前記［４］に記載の遠隔会議装置。
【発明の効果】
【００１３】
請求項１又は４に係る発明によれば、遠隔地の利用者と会議できるとともに、遠隔地において表示された文書の臨場感ある操作性を実現することができる。
【００１４】
請求項２又は５に係る発明によれば、選択された文書の表示を変更することができる。
【００１５】
請求項３又は６に係る発明によれば、選択された文書の文書識別子を送信することができる。
【００１６】
請求項７に係る発明によれば、遠隔地において表示されている文書を取得して表示することができる。
【発明を実施するための最良の形態】
【００１７】
本発明の実施の形態に係る遠隔会議プログラムは、相手の遠隔会議装置から指示入力情報を受信すると、指示入力情報に応じた画像処理、及び文書の表示を行って第１の表示部に表示する表示ステップと、前記表示ステップにおいて表示された表示内容を撮影して、撮影に基づく画像情報を前記相手の遠隔会議装置の第２の表示部に表示するよう送信する送信ステップとをコンピュータに実行させるものである。
【００１８】
上記遠隔会議プログラムは、相手の遠隔会議装置からの指示入力情報に基づいて文書指示用のカーソルや、選択枠を表示し、文書の遠隔操作を可能とする。文書の遠隔操作としては、表示状態の変更、例えば、拡大・縮小を行うことができる。文書は、外部のサーバ装置等に格納されており、文書識別子を取得することでサーバ装置から文書を取得することができる。なお、文書は、ワープロ、表計算ソフト等によって生成された情報や、画像情報、映像情報等を含む。
【００１９】
（情報処理装置の構成）
図１は、本発明の一実施の形態に係る遠隔会議システムの構成例を示す概略図である。
【００２０】
遠隔会議システム１０００は、それぞれ異なる地点に設置された遠隔会議装置１Ａ及び１Ｂと、遠隔会議装置１Ａ及び１Ｂによる遠隔会議を管理するサーバ装置２と、遠隔会議装置１Ａ及び１Ｂとサーバ装置２とをそれぞれ通信可能に接続するインターネット３とを有する。
【００２１】
遠隔会議装置１Ａは、利用者４Ａにより使用され、遠隔会議装置１Ｂは、利用者４Ｂ及び４Ｃにより使用されているものとする。
【００２２】
サーバ装置２は、遠隔会議装置１Ａ及び１Ｂによる遠隔会議を管理する他、遠隔会議装置１Ａ及び１Ｂにおいて表示されるワープロデータや画像データ等である文書を格納するデータベースとしても機能する。
【００２３】
なお、説明の単純化のために遠隔会議装置１Ａ及び１Ｂのみを示したが、複数の遠隔会議装置同士で通信する構成としてもよい。
【００２４】
図２は、本発明の一実施の形態に係る遠隔会議装置の構成例を示す概略図である。なお、以降において、遠隔会議装置１Ａ及び１Ｂは、同一の構成を有するため、遠隔会議装置１Ａについて説明する。
【００２５】
遠隔会議装置１Ａは、遠隔地の様子を示す画像を表示する表示部１０Ａ（第２の表示部）と、会議資料としての電子文書を表示するタッチセンサ付表示部１１Ａ（第１の表示部）と、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品から構成されて情報を処理する本体機能部１２Ａと、設置地点の様子を示す画像を取得するカメラ１３Ａとを有する。
【００２６】
図３は、本発明の一実施の形態に係る遠隔会議装置の構成例を示す概略図である。
【００２７】
遠隔会議装置１Ａは、遠隔地に設置された遠隔会議装置１Ｂのカメラによって撮影された模様を表示する表示部１０Ａと、主に文書を表示するタッチセンサ付表示部１１Ａと、ＣＰＵ（Ｃｅｎｔｒａｌ  Ｐｒｃｅｓｓｉｎｇ  Ｕｎｉｔ）やＨＤＤ（Ｈａｒｄ  Ｄｉｓｋ  Ｄｒｉｖｅ）等の電子部品から構成されて各部を制御する本体機能部１２Ａと、利用者４Ａ及びタッチセンサ付表示部１１Ａを撮影するカメラ１３Ａとを有する。
【００２８】
タッチセンサ付表示部１１Ａは、タッチセンサ付表示部１１Ａの表面に設けられる透明なタッチセンサ１１０Ａと、文書、操作用ツール、及びメニュー等を表示する表示部１１１Ａとを有する。
【００２９】
本体機能部１２Ａは、各部を制御する制御部１２０Ａと、表示部１０Ａ及び表示部１１１Ａの表示を制御する表示処理部１２１Ａと、外部と通信する通信部１２２Ａとを有する。
【００３０】
また、制御部１２０Ａは、図示しない内蔵された不揮発性メモリ上に遠隔会議プログラム１２０ａを格納し、それに基づき動作する。遠隔会議プログラム１２０ａは、各遠隔会議装置同士の通信、文書の遠隔操作、及びサーバ装置２との通信を実行するために動作するプログラムである。
【００３１】
（動作）
以下に、本発明の実施の形態における遠隔会議システム、遠隔会議装置、及びプログラムの動作を各図を参照しつつ説明する。
【００３２】
図４Ａは、本発明の一実施の形態に係る遠隔会議装置の使用例を示す概略図である。
【００３３】
遠隔会議装置１Ａ、及び１Ｂ間において通信することにより、表示部１０Ａは、利用者４Ｂ及び４Ｃと、文書５Ｂの表示されたタッチセンサ付表示部１１Ｂとを撮影した遠隔地の様子を表示する。
【００３４】
また、タッチセンサ付表示部１１Ａは、文書５Ａを表示する。文書５Ａは、利用者４Ａが会議資料として用意したものであり、文書５Ｂは、利用者４Ｂ及び４Ｃが会議資料として用意したものである。詳しくは、サーバ装置２に格納された文書５Ａ及び５Ｂをそれぞれ遠隔会議装置１Ａ及び１Ｂがそれぞれの文書識別子に基づいて呼び出して表示している。なお、タッチセンサ付表示部１１Ａ及び１１Ｂは、文書を複数表示してもよい。
【００３５】
カメラ１３Ａは、遠隔会議装置１Ａの設置された地点の様子を撮影し、撮影した映像を遠隔会議装置１Ｂに送信する。
【００３６】
図４Ｂは、本発明の一実施の形態に係る遠隔会議装置の使用例を示す概略図である。
【００３７】
タッチセンサ付表示部１１Ａの任意の位置に支点１１０ａとして利用者の手４０Ａで触れ、支点１１０ａから手でドラッグ操作して接触点１１０ｂを変化させることにより、支点１１０ａと略対称の位置に指示点１１０ｃを表示させることができる。指示点１１０ｃは、タッチセンサ付表示部１１Ｂに表示され、文書５Ｂを指示して選択することができる。
【００３８】
図４Ｃは、本発明の一実施の形態に係る遠隔会議装置の使用例を示す概略図である。
【００３９】
図４Ｂにおいて、文書５Ｂを指示するとタッチセンサ付表示部１１Ｂの文書５Ｂに選択枠１１０ｄが表示される。また、文書５Ｂの選択後、タッチセンサ付表示部１１Ａを利用者４Ａの手４０Ａで触れることによりメニュー１１０ｅが表示され、その後の操作を指示できる。
【００４０】
図４Ｄは、本発明の一実施の形態に係る遠隔会議装置の使用例を示す概略図である。
【００４１】
図４Ｃにおいて、メニュー１１０ｅから文書５Ｂの拡大操作を選択すると、タッチセンサ付表示部１１Ｂにおいて文書５Ｂが拡大して表示される。
【００４２】
図４Ｅは、本発明の一実施の形態に係る遠隔会議装置の使用例を示す概略図である。
【００４３】
図４Ｃにおいて、メニュー１１０ｅから文書５Ｂの引き寄せ操作を選択すると、タッチセンサ付表示部１１Ａに文書５Ｂが表示される。
【００４４】
図５は、本発明の一実施の形態に係る遠隔会議装置の動作例を示すフローチャートである。
【００４５】
まず、遠隔会議装置１Ａの制御部１２０Ａにおける遠隔会議プログラム１２０ａは、通信部１２２Ａを介し外部から指示入力を受信すると（Ｓ１０；Ｙｅｓ）、指示入力に基づいて表示部１１１Ａに指示点１１０を表示する（Ｓ１１）。この動作は、図４Ｂに示す遠隔会議装置１Ａと１Ｂとの立場を逆にしたものである。
【００４６】
次に、指示入力ではなく（Ｓ１０；Ｎｏ）、指示操作を受信すると（Ｓ１２；Ｙｅｓ）、遠隔会議装置１Ａの制御部１２０Ａにおける遠隔会議プログラム１２０ａは、表示部１１１Ａにおいて、指示点１１０によって選択された文書に対して選択枠１１０ｄを表示する（Ｓ１３）。この動作は、図４Ｃに示す遠隔会議装置１Ａと１Ｂとの立場を逆にしたものである。
【００４７】
次に、指示操作ではなく（Ｓ１２；Ｎｏ）、文書識別子送信指示を受信すると（Ｓ１４；Ｙｅｓ）、遠隔会議装置１Ａの制御部１２０Ａにおける遠隔会議プログラム１２０ａは、通信部１２２Ａを介して選択された文書の文書識別子を送信する（Ｓ１５）。
【００４８】
次に、文書識別子送信指示ではなく（Ｓ１４；Ｎｏ）、拡大表示指示を受信すると（Ｓ１６；Ｙｅｓ）、遠隔会議装置１Ａの制御部１２０Ａにおける遠隔会議プログラム１２０ａは、表示部１１１Ａにおいて、選択された文書を拡大表示する（Ｓ１７）。
【００４９】
また、拡大表示指示ではない場合（Ｓ１６；Ｎｏ）、遠隔会議装置１Ａの制御部１２０Ａにおける遠隔会議プログラム１２０ａにおいて、文書を操作する（Ｓ１８）。文書の操作に関しては、図６において詳細に説明する。
【００５０】
図６は、本発明の一実施の形態に係る遠隔会議装置の動作例を示すフローチャートである。以下に示す動作は、図５のステップＳ１８の動作の詳細である。
【００５１】
まず、遠隔会議装置１Ａの制御部１２０Ａにおける遠隔会議プログラム１２０ａは、通信部１２２Ａを介し外部から文書識別子を受信し（Ｓ２０）、タッチセンサ１１０Ａにおいてメニュー１１０ｅから操作を選択する入力を感知すると（Ｓ２１；Ｙｅｓ）、選択された操作の内容を確認して、選択された操作が文書の引き寄せ操作である場合は（Ｓ２２；Ｙｅｓ）、取得した文書識別子に基づいて文書をサーバ装置２から取得して（Ｓ２３）、表示部１１１Ａに表示する（Ｓ２４）。なお、ステップＳ２０において取得する文書識別子は、図４Ｂ及び４Ｃに示す一連の動作において、例えば、タッチセンサ付表示部１１Ｂに示された選択枠１１０ｄによって選択された文書５Ｂの文書識別子である。
【００５２】
また、選択された操作が文書の引き寄せ操作でない場合で（Ｓ２２；Ｎｏ）、文書の拡大操作だった場合（Ｓ２５；Ｙｅｓ）、遠隔会議装置１Ｂに対して文書５Ｂの拡大表示指示を送信し（Ｓ２６）、タッチセンサ付表示部１１Ｂにおける文書５Ｂの表示を拡大させる。
【００５３】
また、上記実施の形態で使用される遠隔会議プログラム１２０ａは、ＣＤ−ＲＯＭ等の記憶媒体から装置内の記憶部に読み込んでも良く、インターネット等のネットワークに接続されているサーバ装置ー等から装置内の記憶部にダウンロードしてもよい。また、上記実施の形態で使用される手段の一部又は全部をＡＳＩＣ等のハードウェアによって実現してもよい。
【００５４】
なお、タッチセンサ１１０Ａを用いて指示点１１０の位置を制御したが、マウスや、キーボード等の入力装置を用いて指示点１１０の位置を制御する構成にしてもよい。
【図面の簡単な説明】
【００５５】
【図１】本発明の一実施の形態に係る遠隔会議システムの構成例を示す概略図である。
【図２】本発明の一実施の形態に係る遠隔会議装置の構成例を示す概略図である。
【図３】本発明の一実施の形態に係る遠隔会議装置の構成例を示す概略図である。
【図４Ａ】本発明の一実施の形態に係る遠隔会議装置の使用例を示す概略図である。
【図４Ｂ】本発明の一実施の形態に係る遠隔会議装置の使用例を示す概略図である。
【図４Ｃ】本発明の一実施の形態に係る遠隔会議装置の使用例を示す概略図である。
【図４Ｄ】本発明の一実施の形態に係る遠隔会議装置の使用例を示す概略図である。
【図４Ｅ】本発明の一実施の形態に係る遠隔会議装置の使用例を示す概略図である。
【図５】本発明の一実施の形態に係る遠隔会議装置の動作例を示すフローチャートである。
【図６】本発明の一実施の形態に係る遠隔会議装置の動作例を示すフローチャートである。
【符号の説明】
【００５６】
１Ａ、１Ｂ…遠隔会議装置、２…サーバ装置、３…インターネット、４Ａ、４Ｂ…利用者、５Ａ、５Ｂ…文書、１０Ａ、１０Ｂ…表示部、１１Ａ、１１Ｂ…タッチセンサ付表示部、１２Ａ、１２Ｂ…本体機能部、１３Ａ、１３Ｂ…カメラ、４０Ａ…手、１１０Ａ…タッチセンサ、１１０ａ…支点、１１０ｂ…接触点、１１０ｃ…指示点、１１０ｄ…選択枠、１１０ｅ…メニュー、１１１Ａ…表示部、１２０Ａ…制御部、１２０ａ…遠隔会議プログラム、１２１Ａ…表示処理部、１２２Ａ…通信部、１０００…遠隔会議システム
【図１】
2010050506.tif 000003
【図２】
2010050506.tif 000004
【図３】
2010050506.tif 000005
【図４Ａ】
2010050506.tif 000006
【図４Ｂ】
2010050506.tif 000007
【図４Ｃ】
2010050506.tif 000008
【図４Ｄ】
2010050506.tif 000009
【図４Ｅ】
2010050506.tif 000010
【図５】
2010050506.tif 000011
【図６】
2010050506.tif 000012